(57)【特許請求の範囲】
【請求項１】
ほぼ長方形である底部の長さ方向の一端側から湾曲部を介して斜め上方に延出した傾斜板と、前記底部の他端側から湾曲部を介して立上げた立板とを対向して設け、該立板の上部内面の急斜部に続く係止部に前記傾斜板の先端を押し下げて係止させたときに、前記傾斜板側の湾曲部と、前記立板側の湾曲部にそれぞれ設けた開孔に通したチューブを、前記傾斜板と前記底部との対抗面にそれぞれ設けた突起により挟持できるようにした医療用クランプ具において、前記底部の幅方向両縁に設けた側壁の内面上縁寄りと、前記傾斜板の突起の外面下縁寄りと、に仮結合手段を設けたことを特徴とする医療用クランプ具。
【請求項２】
前記仮結合手段が、前記側壁の内面上縁寄りに設けた凸子と、前記傾斜板の突起の外面下縁寄りに設けた凹所であることを特徴とする請求項１に記載の医療用クランプ具。
【請求項３】
前記仮結合手段が、前記側壁の内面上縁寄りに設けた下係止面を有する鉤体と、前記傾斜板の突起の外面下縁寄りに設けた上係止面を有する鉤体であることを特徴とする請求項１に記載の医療用クランプ具。
【発明の詳細な説明】
【技術分野】
【０００１】
本発明は、チューブ内を流れる薬液を必要に応じて挟持（閉塞）できるようにした医療クランプ具に関するものである。
【背景技術】
【０００２】
従来の医療用クランプ具は、図７の如く、ほぼ長方形である底部７１の長さ方向の一端側から湾曲部７２を介して斜め上方に延出した傾斜板７３と、前記底部７１の他端側から湾曲部７２′を介して立上げた立板７４とを設け、該立板７４の上部内面の急斜部７４′に続く係止部７５に前記傾斜板７３の先端７３′を押し下げ係止させたときに、前記傾斜板７３側の湾曲部７２と、前記立板７４側の湾曲部７２′とにそれぞれ設けた開孔７６、７６′に通したチューブＫを、前記傾斜板７３と前記底部７１との対抗面にそれぞれ設けた突起７７、７８とにより挟持できるようになっている。例えば、バイエル瓶と患者を結ぶチューブの途中に適用することによりチューブ内を通る薬液の閉塞や開放が適時できるようになっている。
【０００３】
ところが、前記傾斜板７３の先端７３′を押し下げ、前記立板７４の内面に設けた係止部７５に係止したときに、前記チューブＫが左右に逃げることがあると、突起７７、７８によりチューブＫを正しく挟持できない虞があった。
【０００４】
これを解消するために、いままでに幾つかの技術が開示されている。その代表的な一つに実用新案登録第３１１６０４６がある。これは底部に設けた突起の近傍に馬蹄状のチューブ保持部を設けてなるもので、チューブを逃がさずに、上下の突起により正しく挟持できるようにしている。また、代表的な二つに特開２００５−２７７２１がある。これは底部の幅方向両縁に対抗する側壁を設けたもので、側壁によりチューブが左右に大きく逃げないようにしたものである。
【特許文献１】実用新案登録第３１１６０４６号公報
【特許文献２】特開２００５−２７７２１号公報
【発明の開示】
【発明が解決しようとする課題】
【０００５】
しかしながら、特許文献１及び２は、共にチューブが左右に逃げ難くしている点では優れているが、図７からも判る如く、互いに係合する傾斜板の先端と立板の内面に設けた係止部との距離Ｈが大きく開いているため、傾斜板の先端と立板の係止部とを係止させるときに、傾斜板自身が横揺れし易く、その下面に設けた突起がチューブ上面を横滑りして係止部に係止され易くなるから、チューブを正しく挟持できず、チューブ内を流れる薬液を確実に閉塞できない虞があった。
【０００６】
本発明は、上記課題を解決するためのもので、その目的とするところは、傾斜板と、底板の両縁にある側壁とを、両者の距離を狭めるように仮止めして傾斜板自身の横揺れをなくし、前記傾斜板の先端と、立板の内面に設けた係止部との係止時に突起が横滑りすることなくチューブを正しく挟持できるようにした医療用クランプ具を提供することにある。
【課題を解決するための手段】
【０００７】
上記目的を達成するため、本発明に係る医療用クランプ具は、ほぼ長方形である底部の長さ方向の一端側から湾曲部を介して斜め上方に延出した傾斜板と、前記底部の他端側から湾曲部を介して立上げた立板とを設け、該立板の上部内面の急斜部に続く係止部に前記傾斜板の先端を押し下げて係止させたときに、前記傾斜板側の湾曲部と、前記立板側の湾曲部にそれぞれ設けた開孔に通したチューブを、前記傾斜板と前記底部との対抗面にそれぞれ設けた突起により挟持できるようにした医療用クランプ具において、前記底部の幅方向両縁に設けた側壁の内面上縁寄りと、前記傾斜板の突起の外面下縁寄りにそれぞれ仮結合手段を設けたことを特徴とし、チューブを挟持させる前に、傾斜板の先端と、立板の係止部とを近づけた位置で仮止めできるように構成した。
【０００８】
また、請求項２に係る医療用クランプ具は、前記仮結合手段が、前記側壁の内面上縁寄りに設けた凸子と、前記傾斜板の突起の外面下縁寄りに設けた凹所であることを特徴とし、凸子に対し凹所を結合させることにより傾斜板の先端と、立板の係止部との接近状態を確保できるように構成した。
【０００９】
さらに、請求項３に係る医療用クランプ具は、前記仮結合手段が、前記側壁の内面上縁寄りに設けた下係止面を有する鉤体と、前記傾斜板の突起の外面下縁寄りに設けた上係止面を有する鉤体であることを特徴とし、側壁側の鉤体に傾斜板側の鉤体を下から当てるように結合し、傾斜板の先端と、立板の係止部との接近を確保できるように構成した。
【発明の効果】
【００１０】
本発明によれば、前記傾斜板と、底板の両縁にある側壁とを、仮止めにより両者の距離を狭めるとともに傾斜板自身の横揺れをなくすから、前記傾斜板の先端を下向きに押して立板の急斜部を滑らしつつ係止部に係止させる作業が安定する。したがって、前記傾斜板の下面に設けた突起がチューブ上面を横滑りすることもなく、常に、正しくチューブを挟持できるという優れた効果を奏するものである。
【００１１】
また、請求項２に係る発明によれば、凸子に対し凹所を変形させつつ結合させることができるので、傾斜板の先端と立板の係止部を接近状態に確保できるので、傾斜板の先端を押し下げるときに横揺れが起こることがない。しかも、該凹所は突起によりチューブ挟持させた後には下方へ逃げるので挟持の邪魔にならないなど各種の優れた効果を奏するもの  である。
【００１２】
さらに、請求項３に係る発明によれば、側壁側の鉤体に下から当たるように傾斜板側の鉤体が確実に結合させることができるので、傾斜板の先端と立板の係止部を接近状態に確保できるので、傾斜板の先端を押し下げるときに横揺れが起こることがない。しかも、該傾斜板側の鉤体は、側壁側の鉤体に下から当たっているだけなので突起によりチューブ挟持させた後には下方へ逃げるので挟持の邪魔にならないなど各種の優れた効果を奏するものである。
【発明を実施するための最良の形態】
【００１３】
次に、本発明の実施の態様について図面を参照して説明する。図１は本願クランプ具の斜視図、図２は仮止め手段の作用図で、（ａ）は仮止め前、（ｂ）は仮止め時、図３は凸子と凹所の仮止め時の断面図、図４はチューブクランプ時の断面図、図５は鉤体の仮止め時の断面図、図６はチューブクランプ時の断面図である。
【００１４】
１は本願クランプ具、２はほぼ長方形をした底部である。底部２の長さ方向の一端側から湾曲部３を介して斜め上方に延出した傾斜板４と、前記底部２の他端側から湾曲部３′を介して立上げた立板５とを設け、該立板５の上部内面には急斜部５′に続く係止部６が設けられている。
【００１５】
前記傾斜板４側の湾曲部３と、前記立板５側の湾曲部３′には開孔７、７′が設けてあり、これにチューブＫが通されている。また、前記傾斜板４と前記底部２との対抗面にそれぞれ突起８、９が設けられ、該突起８、９は前記傾斜板４の先端４′を下向きに押して立板５の係止部６に係止させたときに前記チューブＫを上下より挟持できるようになっている。
【００１６】
前記底部２の幅方向両縁には２つの側壁１０が対抗して設けられている。両側壁１０の各内面上縁寄りには凸子１１が設けられる一方、前記傾斜板４の突起８の外面下縁寄りには凹所１２が設けられている。この場合において、前記凸子１１と前記凹所１２とは仮結合手段１３を構成している。
【００１７】
前記仮結合手段１３は、凸子１１と凹所１２との仮結合前には、傾斜板４の先端４′と立板５の係止部６との距離Ｈが、図２（ａ）の如く、広く開いている。これに対し、仮結合後には、傾斜板４の先端４′と立板５の係止部６との距離Ｈ′は、図２（ｂ）の如く、狭められる。前記傾斜板４の突起８の外面下縁寄りに設けた凹所１２が、前記側壁１０の内面上縁寄りに設けた凸子１１に仮係合する過程は、傾斜板４の先端４′を、凹所１２が凸子１１に当たるまで手指で押し、さらに押し続けることにより前記凹所１２の下縁が素材の弾性により変形しつつ凸子１１の下面に嵌まるようになっている。
【００１８】
前記凸子１１と凹所１２とが仮結合した状態では、図３の如く、傾斜板４の先端４′と立板５の係止部６との間隔を近づけられ、しかも、傾斜板４は横振れがなく、傾斜板４の突起８と前記底板２の突起９とでチューブＫの上下面を挟持させる場合、チューブＫの上面を横滑りすることがなく正しく挟持される。この挟持時、図４の如く、凸子１１の下面に嵌まっていた凹所１２は下方に移動するので、挟持の邪魔にはならない。
【００１９】
前記仮結合手段１３は、側壁１０の内面上縁寄りに設けた下係止面を有する鉤体１４と、前記傾斜板４の突起９の外面下縁寄りに設けた上係止面を有する鉤体１５とで構成することもある。すなわち、前記傾斜板４を下向きに押すと、前記鉤体１５の斜面は、前記鉤体１４の斜面を滑りつつ側壁１０を外側に押して斜面を乗り越え、図５の如く、互いに仮係合することとなる。
【００２０】
前記鉤体１４と鉤体１５とが仮結合した状態では、前記傾斜板４の先端４′と立板５の係止部６との間隔が狭くなっている状況にあるから、これより傾斜板４の先端４′を押して立板５の係止部６に係止させると、チューブＫは突起８、９により横滑りすることなく正しく挟持される。この挟持時、図６の如く、傾斜板４の突起９側の鉤体１５は側壁１０側の鉤体１４の下面に係合しているため、下方に移動するので、挟持の邪魔にはならない。
【００２１】
次に、本願クランプ具１の作用を説明する。まず、本願クランプ具１の湾曲部３、３′に設けた開孔７、７′に、例えば、バイエル瓶と患者とを結ぶチューブＫを予め通しておく。次いで、前記傾斜板４の突起８の外面下縁寄りに設けた凹所１２（又は上係止面を有する鉤体１５）と、前記側壁１０の内面上縁寄りに設けた凸子１１（又は下係止面を有する鉤体１４）とを仮係合させる。この仮係合により傾斜板自身の横揺れがなくなるばかりでなく、前記傾斜板の先端と、立板の内面に設けた係止部との距離が近くなり、チューブＫの正しい挟持が行われる。
【００２２】
このように、前記仮結合状態では、前記傾斜板４の先端４′を湾曲部３の弾性に抗して押し下げて立板５の係止部６に係止されるときの押し作業が楽に行え、バイエル瓶と患者とを結ぶチューブＫ内を流れる薬液を確実に制御できることとなる。
【産業上の利用可能性】
【００２３】
本願クランプ具１は、チューブを流れる薬液を必要に応じて挟持し、閉塞できるようにしたので、医療業界その他広く産業上の利用可能性は高いものである。
【図面の簡単な説明】
【００２４】
【図１】本願クランプ具の斜視図である。
【図２】仮止め手段を示す正面図で、（ａ）は仮止め前、（ｂ）は仮止め時である。
【図３】凸子と凹所の仮止め時の拡大断面図である。
【図４】チューブクランプ時の断面図である。
【図５】鉤体の仮止め時の拡大断面図である。
【図６】チューブクランプ時の断面図である。
【図７】従来クランプ具の斜視図である。
【符号の説明】
【００２５】
１  本願クランプ具
２  底部
３、３′  湾曲部
４  傾斜板
４′  先端
５  立板
５′  急斜部
６  係止部
７、７′  開孔
８、９  突起
１０  側壁
１１  凸子
１２  凹所
１３  仮結合手段
１４、１５  鉤体
Ｋ  チューブ
Ｈ、Ｈ′  距離
【図１】
0006404044.tif 000002
【図２】
0006404044.tif 000003
【図３】
0006404044.tif 000004
【図４】
0006404044.tif 000005
【図５】
0006404044.tif 000006
【図６】
0006404044.tif 000007
【図７】
0006404044.tif 000008